(57)【要約】【課題】  汎用性に富むとともに低廉な鉢植え用容器及び該容器を利用した緑化設備を提供する。【解決手段】  ペットボトル本体Ｂを外，内容器体１ａ，１ｂに上下に水平分割しその口頸部付き内容器体を口頸部１ｃが下になるように外容器体内に嵌合すると共に、前記外容器体の周面に前記内容器体の周面と重合しない位置にて排水孔４を形成し、かつ前記内容器体の内部に排水性を考慮した土層構造を施し前記排水孔を境に上方部分を栽培部６、下方部分を貯水部７とした。【選択図】        図１
2006034117.tif 000002
【特許請求の範囲】
【請求項１】
ペットボトル本体を上，下両部材に水平分割しその口頸部付き上部材を口頸部が下になるように下部材内に嵌合すると共に、前記下部材の周面に前記上部材の周面と重合しない位置にて排水孔を形成し、かつ前記上部材の内部に排水性を考慮した土層構造を施し前記排水孔を境に上方部分を栽培部、下方部分を貯水部としたことを特徴とする鉢植え用容器。
【請求項２】
前記ペットボトル本体は断面方形でかつ各角部が面取りされており、この面取り部に前記排水孔を形成したことを特徴とする請求項１記載の鉢植え用容器。
【請求項３】
前記口頸部の端面に水移動用の切欠きを形成したことを特徴とする請求項１又は２記載の鉢植え用容器。
【請求項４】
前記土層構造に、下部材内への土の流出を阻止するフィルターを介在したことを特徴とする請求項１，２又は３記載の鉢植え用容器。
【請求項５】
請求項１乃至４記載の鉢植え用容器を区画内に水平に並べて多数設置すると共に、各容器の上部に前記区画内の全域に亙り栽培部用土を敷き詰めたことを特徴とする緑化設備。
【請求項６】
前記緑化設備は人工地盤用の緑化設備であって、前記各容器を防水層上に防根シートを介して設置したことを特徴とする請求項５記載の緑化設備。
【請求項７】
前記区画形成用枠部材と各容器周面との空隙及び各容器周面間の空隙に詰め物を充填したことを特徴とする請求項５又は６記載の緑化設備。
【請求項８】
前記各容器の内四つの容器の周面角部で形成された空隙を当該四つの容器に跨がって嵌合すべく加工されたキャップで閉塞したことを特徴とする請求項５，６又は７記載の緑化設備。
【発明の詳細な説明】
【技術分野】
【０００１】
本発明は、リサイクルやエコロジーの見地から日常生活で多量に廃棄されるペットボトルを有効利用した鉢植え用容器及び該容器を利用した緑化設備に関するものである。
【背景技術】
【０００２】
ペットボトルを利用したこの種容器として、例えば特許文献１に開示されたものがある。これは、ペットボトルを切り合わせて育成槽と貯水槽の二層にし、貯水槽へと自水紐を伸ばし育成槽に水分が常に補強されるようにし、水耕培地内に含有される栄養分で植物を水耕育成する。そして、二槽間の重ね合わさった位置に通気孔を貫通させて容器内の温度差によって酸素を吸入して溶存酸素の安定と煙突効果で培地と容器の間を空気が上昇する構成になっている。
【０００３】
また、従来の緑化設備として、例えば特許文献２及び特許文献３に開示されたものがある。特許文献２は、ビルの屋上や一般住宅のベランダ等の屋上床面に設置されて、草花、観葉植物或いは灌木等の植物を栽培するための緑化設備において、当該緑化設備の底部に、緑化設備の勾配上手の仕切外側面に一端が開口し、勾配下手の仕切外側面に他端が開口する排水路を設置したものである。特許文献３は、建築物の屋上に設置した複数の排水マットと、これら複数の排水マットにわたってその上側に設置した植生マットとを有し、排水マットを相互に間隔をあけて設置して、隣接する排水マット間に排水溝を形成したものである。
【０００４】
【特許文献１】特開２００１−３２０９７０号公報
【特許文献２】特開平１０−４８０４号公報
【特許文献３】特開２００３−２３５３５５号公報
【発明の開示】
【発明が解決しようとする課題】
【０００５】
特許文献１に開示された容器にあっては、貯水機能のみを有し排水機能を有しないため、用途が水耕栽培に限定され汎用性に欠けると共に、容器を水平に多数並べて使用しようとすると、通気孔が閉塞されて通気性が確保できなくなる場合があり緑化設備等には到底利用することができず使い勝手が悪いという問題点があった。
【０００６】
特許文献２及び特許文献３に開示されたものにあっては、ともに降雨水を如何に効率良く排水するかという技術であって、貯水機能を有しないため、別途大掛かりな灌水装置を設置したり或いは高価な貯水システムを構築したりする必要があり、コストアップを招来するという問題点があった。
【０００７】
そこで、本発明の目的は、汎用性に富むとともに低廉な鉢植え用容器及び該容器を利用した緑化設備を提供することにある。
【課題を解決するための手段】
【０００８】
前記目的を達成するための本発明に係る鉢植え用容器は、ペットボトル本体を上，下両部材に水平分割しその口頸部付き上部材を口頸部が下になるように下部材内に嵌合すると共に、前記下部材の周面に前記上部材の周面と重合しない位置にて排水孔を形成し、かつ前記上部材の内部に排水性を考慮した土層構造を施し前記排水孔を境に上方部分を栽培部、下方部分を貯水部としたことを特徴とする。
前記ペットボトル本体は断面方形でかつ各角部が面取りされており、この面取り部に前記排水孔を形成すると好適である。
前記口頸部の端面に水移動用の切欠きを形成すると好適である。
前記土層構造に、下部材内への土の流出を阻止するフィルターを介在すると好適である。
【０００９】
また、前記目的を達成するための本発明に係る緑化設備は、前記鉢植え用容器を区画内に水平に並べて多数設置すると共に、各容器の上部に前記区画内の全域に亙り栽培部用土を敷き詰めたことを特徴とする。
前記緑化設備は人工地盤用の緑化設備であって、前記各容器を防水層上に防根シートを介して設置すると好適である。
前記区画形成用枠部材と各容器周面との空隙及び各容器周面間の空隙に栽培部用土の流出を防止したり排水孔からの排水を確保するための詰め物を充填すると好適である。
前記四つの容器の周面角部で形成された空隙を四つの容器に跨がって嵌合すべく加工されたキャップで閉塞すると好適である。
【発明の効果】
【００１０】
前記構成の鉢植え用容器によれば、貯水機能のみならず排水機能を有し、しかも排水孔の高さ方向の位置を任意に決定することで、栽培対象物に応じた必要量の水を確保することができるので、多種の栽培対象物に容易に対応することができ汎用性が高められる。また、区画内に多数水平に並べることで緑化設備等にも容易に適用することができる。勿論、ペットボトルを利用するので、リサイクルやエコロジーを実践できる。
【００１１】
前記構成の緑化設備によれば、適正な水量を確保し得る貯水機能を有するので、別途大掛かりな灌水装置を設置したり或いは高価な貯水システムを構築したりする必要がなく、低廉な緑化設備を実現することができる。勿論、ペットボトルを利用するので、リサイクルやエコロジーを実践できる。
【発明を実施するための最良の形態】
【００１２】
以下、本発明に係る鉢植え用容器及び該容器を利用した緑化設備を実施例により図面を用いて詳細に説明する。
【実施例１】
【００１３】
図１は本発明の実施例１を示す鉢植え用容器の斜視図、図２は同じく要部断面図、図３は同じく製作工程図、図４は同じく製作工程図、図５は下部材の横断面図である。
【００１４】
図１及び図２に示すように、ポトス等の観葉植物（栽培対象物）Ｐを栽培する鉢植え用容器１は外容器体（下部材）１ａと内容器体（上部材）１ｂとからなり、廃棄等されたペットボトルを用いて後述する製作方法で作られる。
【００１５】
内容器体１ｂの内部には、無機質の土壌改良材２とその上方に位置して栽培部用土（又は改良土）３が充填され排水性を考慮した土層構造が施されている。外容器体１ａの周面には、内容器体１ｂの周面と重合しない位置にて排水孔４が周方向に複数（図示例では四つ）形成されている。
【００１６】
そして、内容器体１ｂと外容器体１ａとは、内容器体１ｂの下端面に形成された水移動用の切欠き（Ｖカット）５を介して内部が連通される。従って、雨水や灌水によって鉢植え用容器１内に水が流入し溜まりだすとやがて排水孔４よりオーバーフローし水位（の上限値）が一定となる。依って、排水孔４を境に鉢植え用容器１の上方部分が栽培部６、下方部分が貯水部７となる。
【００１７】
前記鉢植え用容器１は、例えば図３及び図４に示す製作工程を経て製作される。
先ず、２リットルのペットボトル本体（断面方形でかつ角部が面取りされている）Ｂをカッター等で上下に二分割して外容器体（下部材）１ａと内容器体（上部材）１ｂを得る（図３の（ａ）及び（ｂ）参照）。この際、分割位置（高さ）は任意に調整できる。
【００１８】
次いで、内容器体（上部材）１ｂの口頸部１ｃの端面に、カッター等で切欠き（Ｖカット）５を周方向に複数（図示例では四つ）形成する（図３の（ｃ）参照）。
【００１９】
次いで、前記口頸部１ｃが下になるように内容器体（上部材）１ｂを外容器体（下部材）１ａ内に強制的に嵌合する（図４の（ａ）参照）。この際、口頸部１ｃの端面が外容器体（下部材）１ａの底面に押し当てられたとしても前記切欠き（Ｖカット）５により内容器体（上部材）１ｂと外容器体（下部材）１ａとの連通状態は保持される。また、内容器体（上部材）１ｂと外容器体（下部材）１ａとの周面間を接着剤やホッチキス等で結合してもよい。
【００２０】
そして、最後に外容器体（下部材）１ａの周面に前記内容器体（上部材）１ｂの周面と重合しない位置にてドリル等で排水孔４を形成する（図４の（ｂ）参照）。この際、排水孔４の位置により貯水部７における貯水量を調整することができる。また、図５に示すように、排水孔４は外容器体（下部材）１ａの四つの面取りされた角部に形成される。
【００２１】
このように本実施例の鉢植え用容器１によれば、貯水機能のみならず排水機能を有し、しかも排水孔４の高さ方向の位置を任意に決定することで、ポトス等の観葉植物Ｐに応じた必要量の水を確保することができ、水分過多による枯れ死を未然に回避しつつ水分の安定供給が可能となる。つまり、多種の栽培対象物に容易に対応することができ汎用性が高められるのである。
【００２２】
また、排水孔４は外容器体（下部材）１ａの角部における面取り部に形成されているので、鉢植え用容器１を所定の区画内に多数水平に並べても排水孔４は閉塞されず、各鉢植え用容器１の貯水、排水機能は良好に保持されるので、ビルの屋上や家庭のベランダ等の緑化設備にも容易に適用することができる。勿論、ペットボトルを利用するので、リサイクルやエコロジーを実践できる。
【００２３】
尚、上記実施例において、無機質の土壌改良材２の粒子が細かく、外容器体（下部材）１ａ側へ流出する虞がある場合は、内容器体（上部材）１ｂ内に不織布等のフィルターを適宜介在させても良い。
【実施例２】
【００２４】
図６は本発明の実施例２を示す緑化設備の構造説明図で、同図（ａ）は栽培部用土（又は改良土）を省略した平面図、同図（ｂ）は正断面図、図７は同じく要部拡大図、図８は同じく要部斜視図である。
【００２５】
これは、実施例１における鉢植え用容器１を、屋上防水層１０上に防根シート１１を介して四角枠（部材）１２により画成された所定面積の区画内に、水平に並べて多数設置すると共に、各容器１の上部に前記区画内の全域に亙り栽培部用土３を敷き詰めて、人口地盤用の緑化設備を構成した例である。尚、図示例では、各容器１内に栽培部用土３が充填されていないが、実施例１と同様に各容器１内に栽培部用土３を充填した上で区画内の全域に亙り栽培部用土３を敷き詰めても良い。
【００２６】
また、前記四角枠１２と各容器１周面との空隙Ｃ２には排水孔４より大きい粒子の物或いは水苔等の繊維質の物からなる図示しない詰め物を充填し、また各四つの容器１の周面角部で形成された空隙Ｃ１を四つの容器１に跨がって嵌合すべく加工されたペットボトルのキャップ１３で閉塞して（図６の（ａ）では代表して３個だけ図示している）、各容器１の排水孔４による貯水、排水機能を良好に保持するようになっている。
【００２７】
図示例では、キャップ１３の周壁に四カ所に亙って切り起こし加工が施されてスリット１３ｃが形成され、これらのスリット１３ｃが互いに隣り合う容器１の周面角部に跨がって嵌合するようになっている。尚、図８中１４はホッチキスの針で、互いに隣り合う容器１の周面同士を結合しているが、特に結合しなくても良い。また、前記空隙Ｃ１にもキャップ１３で閉塞する代わりに詰め物を充填して栽培部用土の流出を防止したり排水孔からの排水を確保するようにしても良い。
【００２８】
このように本実施例の緑化設備によれば、適正な水量を確保し得る貯水機能を有するので、別途大掛かりな灌水装置を設置したり或いは高価な貯水システムを構築したりする必要がなく、低廉な緑化設備を実現することができる。勿論、ペットボトルを利用するので、リサイクルやエコロジーを実践できる。
【００２９】
尚、本発明は上記各実施例に限定されず、本発明の要旨を逸脱しない範囲で容量や断面形状の異なるペットボトルを用いる等各種変更が可能であることはいうまでもない。また、図８の状態では、小物入れ等の収納容器としても利用できる。
【図面の簡単な説明】
【００３０】
【図１】本発明の実施例１を示す鉢植え用容器の斜視図である。
【図２】同じく要部断面図である。
【図３】同じく製造工程図である。
【図４】同じく製造工程図である。
【図５】同じく下部材の横断面図である。
【図６】本発明の実施例２を示す緑化設備の構造説明図で、同図（ａ）は栽培部用土（又は改良土）を省略した平面図、同図（ｂ）は正断面図である。
【図７】同じく要部拡大図である。
【図８】同じく要部斜視図である。
【符号の説明】
【００３１】
１  鉢植え用容器
１ａ  外容器体（下部材）
１ｂ  内容器体（上部材）
１ｃ  口頸部
２  無機質の土壌改良材
３  栽培部用土（又は改良土）
４  排水孔
５  切欠き（Ｖカット）
６  栽培部
７  貯水部
１０  屋上防水層
１１  防根シート
１２  四角枠（部材）
１３  キャップ
１３ｃ  スリット
１４  ホッチキスの針
Ｐ  ポトス等の観葉植物
Ｂ  ペットボトル本体
Ｃ１，Ｃ２  空隙
【図１】
2006034117.tif 000003
【図２】
2006034117.tif 000004
【図３】
2006034117.tif 000005
【図４】
2006034117.tif 000006
【図５】
2006034117.tif 000007
【図６】
2006034117.tif 000008
【図７】
2006034117.tif 000009
【図８】
2006034117.tif 000010